(57)【要約】  無線基地局は自動で無線ネットワーク制御装置に接続する。  無線通信ネットワークに公衆ネットワーク（４）を介して収容される無線基地局（１）の設置情報送信部（１ａ）は、無線基地局（１）が設置されることを示す設置情報を、既設無線基地局（３）を介して、無線ネットワーク制御装置（２）に送信する。接続情報受信部（１ｂ）は、無線ネットワーク制御装置（２）から、公衆ネットワーク（４）を介して無線ネットワーク制御装置（２）に接続するための接続情報を、既設無線基地局（３）を介して受信する。無線ネットワーク制御装置（２）の設置情報受信部（２ａ）は、無線基地局（１）から送信される設置情報を、既設無線基地局（３）を介して受信する。接続情報送信部（２ｂ）は、無線基地局（１）からの設置情報の受信に応じて、無線ネットワーク制御装置（２）に接続するための接続情報を、既設無線基地局（３）を介して無線基地局（１）に送信する。
2010041323.tif 000002
【特許請求の範囲】
【請求項１】
無線通信ネットワークに公衆ネットワークを介して収容される無線基地局において、
当該無線基地局が設置されることを示す設置情報を既設無線基地局との無線通信を介して前記既設無線基地局を制御する無線ネットワーク制御装置に送信する設置情報送信部と、
前記既設無線基地局との無線通信を介して前記無線ネットワーク制御装置から前記公衆ネットワークを介して前記無線ネットワーク制御装置に接続するための接続情報を受信する接続情報受信部と、
を有することを特徴とする無線基地局。
【請求項２】
無線端末と通信を行う無線端末通信部をさらに有し、
前記設置情報送信部と前記接続情報受信部は、前記無線端末を介して前記既設無線基地局と無線通信を行うことを特徴とする請求の範囲第１項記載の無線基地局。
【請求項３】
前記接続情報受信部によって受信された前記接続情報に基づいて前記無線ネットワーク制御装置に接続し、前記公衆ネットワークを介した局間リンクを確立する局間リンク確立部を有することを特徴とする請求の範囲第１項記載の無線基地局。
【請求項４】
前記設置情報送信部は、前記設置情報を無線リソース接続確立の要求情報に含めて送信することを特徴とする請求の範囲第１項記載の無線基地局。
【請求項５】
前記接続情報は、無線リソース接続確立の要求情報に対する応答情報に含まれていることを特徴する請求の範囲第１項記載の無線基地局。
【請求項６】
前記公衆ネットワークに接続されているサーバに認証情報を送信する認証情報送信部と、
前記サーバから認証結果を受信する認証結果受信部と、
を有することを特徴とする請求の範囲第１項記載の無線基地局。
【請求項７】
無線基地局を制御する無線ネットワーク制御装置において、
無線通信ネットワークに公衆ネットワークを介して収容される前記無線基地局から無線通信によって既設無線基地局に送信された前記無線基地局の設置されたことを示す設置情報を前記既設無線基地局から受信する設置情報受信部と、
当該無線ネットワーク制御装置に前記公衆ネットワークを介して接続するための接続情報を前記設置情報の受信に応じて前記既設無線基地局を介して前記無線基地局に送信する接続情報送信部と、
を有することを特徴とする無線ネットワーク制御装置。
【請求項８】
前記接続情報送信部は、前記接続情報を無線リソース接続確立の要求情報に対する応答情報に含めて送信することを特徴とする請求の範囲第７項記載の無線ネットワーク制御装置。
【請求項９】
前記設置情報は、無線リソース接続確立の要求情報に含まれていることを特徴する請求の範囲第７項記載の無線ネットワーク制御装置。
【請求項１０】
前記設置情報を送信してきた前記既存無線基地局の位置に基づいて前記無線基地局の設置位置を認識する設置位置認識部を有することを特徴とする請求の範囲第７項記載の無線ネットワーク制御装置。
【請求項１１】
無線通信ネットワークに公衆ネットワークを介して収容される無線基地局のネットワーク自動編入方法において、
前記無線基地局が設置されることを示す設置情報を既設無線基地局との無線通信を介して前記既設無線基地局を制御する無線ネットワーク制御装置に送信し、
前記既設無線基地局との無線通信を介して前記無線ネットワーク制御装置から前記公衆ネットワークを介して前記無線ネットワーク制御装置に接続するための接続情報を受信する、
ことを特徴とするネットワーク自動編入方法。
【請求項１２】
無線通信ネットワークに公衆ネットワークを介して収容される無線基地局をネットワークに編入する無線ネットワーク制御装置のネットワーク自動編入方法において、
前記無線基地局から無線通信によって既設無線基地局に送信された前記無線基地局の設置されたことを示す設置情報を前記既設無線基地局から受信し、
前記無線ネットワーク制御装置に前記公衆ネットワークを介して接続するための接続情報を前記設置情報の受信に応じて前記既設無線基地局を介して前記無線基地局に送信する、
ことを特徴とするネットワーク自動編入方法。
【発明の詳細な説明】
【技術分野】
【０００１】
本発明は、無線基地局のネットワーク編入に関する。
【背景技術】
【０００２】
例えば、３Ｇ（The 3rd Generation）システムは、広域エリア向けの高品質の安定通話および高速ワイヤレス通信を実現している（例えば、非特許文献１）。
しかし、３Ｇシステムのような広域エリア向けの高速ワイヤレス通信では、無線基地局と無線端末との距離が離れると通信品質の劣化が生じたり、多数の無線端末で電波を共有すると、通信速度の低下が生じたりする。【０００３】
そこで、通信品質の劣化や通信速度の低下の生じるエリアをカバーする無線基地局として、フェムト無線基地局が注目されている。フェムト無線基地局は、小型かつ安価であり、屋内利用を中心とした狭いエリアの無線通信をカバーすることができる。【０００４】
なお、従来、無線基地局から網編入要求を受信し、無線基地局から指定された移動通信端末に下り回線状況報告を指示し、その移動通信端末から下り回線状況報告を受けて網編入のための局データを作成する網編入システムが提案されている（例えば、特許文献１参照）。【０００５】
また、自分の位置情報を拡散符号管理装置に送信し、拡散符号管理装置から周辺基地局の拡散符号を受信し、周辺基地局が使用していない拡散符号を自分に割り当てる小型基地局装置が提案されている（例えば、特許文献２参照）。
【非特許文献１】3G TS25.331 V3.2.0(2003-03)
【特許文献１】特開２００６−３２４８３１号公報
【特許文献２】特開２００７−２６６７８５号公報
【発明の開示】
【発明が解決しようとする課題】
【０００６】
しかし、ユーザは、フェムト無線基地局を設置する際、フェムト無線基地局を制御する無線ネットワーク制御装置を選択しなければならず、特別な知識や手順などが必要であるという問題点があった。【０００７】
本件はこのような点に鑑みてなされたものであり、自動で無線ネットワーク制御装置に接続する無線基地局、無線ネットワーク制御装置、およびネットワーク自動編入方法を提供することを目的とする。
【課題を解決するための手段】
【０００８】
上記課題を解決するために、無線通信ネットワークに公衆ネットワークを介して収容される無線基地局が提供される。この無線基地局は、当該無線基地局が設置されることを示す設置情報を既設無線基地局との無線通信を介して前記既設無線基地局を制御する無線ネットワーク制御装置に送信する設置情報送信部と、前記既設無線基地局との無線通信を介して前記無線ネットワーク制御装置から前記公衆ネットワークを介して前記無線ネットワーク制御装置に接続するための接続情報を受信する接続情報受信部と、を有する。【０００９】
また、上記課題を解決するために、無線基地局を制御する無線ネットワーク制御装置が提供される。この無線ネットワーク制御装置は、無線通信ネットワークに公衆ネットワークを介して収容される前記無線基地局から無線通信によって既設無線基地局に送信された前記無線基地局の設置されたことを示す設置情報を前記既設無線基地局から受信する設置情報受信部と、当該無線ネットワーク制御装置に前記公衆ネットワークを介して接続するための接続情報を前記設置情報の受信に応じて前記既設無線基地局を介して前記無線基地局に送信する接続情報送信部と、を有する。
【発明の効果】
【００１０】
開示の無線基地局、無線ネットワーク制御装置、およびネットワーク自動編入方法では、無線基地局は、自動で無線ネットワーク制御装置に接続することができるようになる。
本発明の上記および他の目的、特徴および利点は本発明の例として好ましい実施の形態を表す添付の図面と関連した以下の説明により明らかになるであろう。
【図面の簡単な説明】
【００１１】
【図１】無線基地局と無線ネットワーク制御装置を示した図である。
【図２】フェムト無線基地局を適用した通信ネットワークの構成例を示した図である。
【図３】フェムト無線基地局のブロック構成図である。
【図４】無線端末のブロック構成図である。
【図５】ＲＮＣのブロック構成図である。
【図６】サーバのブロック構成図である。
【図７】設置情報のデータ構成例を説明する図である。
【図８】Establishment causeのコードを示した図である。
【図９】ＲＮＣ情報と位置情報のデータ構成例を説明する図である。
【図１０】Rejection causeのコードを示した図である。
【図１１】通信ネットワークのシーケンス図である。
【発明を実施するための最良の形態】
【００１２】
図１は、無線基地局と無線ネットワーク制御装置を示した図である。図１に示すように、無線ネットワーク制御装置２は、既設の既設無線基地局３およびインターネットなどの公衆ネットワーク４に接続されている。無線基地局１は、例えば、フェムト無線基地局であり、公衆ネットワーク４を介して無線通信ネットワークに収容される。【００１３】
無線基地局１は、設置情報送信部１ａおよび接続情報受信部１ｂを有している。設置情報送信部１ａは、例えば、無線基地局１を購入したユーザによって公衆ネットワーク４に接続される際、無線基地局１が設置されることを示す設置情報を、既設無線基地局３との無線通信を介して、既設無線基地局３を制御する無線ネットワーク制御装置２に送信する。【００１４】
接続情報受信部１ｂは、既設無線基地局３との無線通信を介して、無線ネットワーク制御装置２から、公衆ネットワーク４を介して無線ネットワーク制御装置２に接続するための接続情報を受信する。【００１５】
無線ネットワーク制御装置２は、設置情報受信部２ａおよび接続情報送信部２ｂを有している。設置情報受信部２ａは、無線基地局１から無線通信によって既設無線基地局３に送信された無線基地局１の設置されたことを示す設置情報を、既設無線基地局３から受信する。【００１６】
接続情報送信部２ｂは、無線ネットワーク制御装置２に公衆ネットワーク４を介して接続するための接続情報を、設置情報受信部２ａの設置情報の受信に応じて、既設無線基地局３を介して無線基地局１に送信する。【００１７】
図１の動作について説明する。無線基地局１を購入したユーザは、無線基地局１を無線通信ネットワークに編入するために、公衆ネットワーク４に接続するとする。無線基地局１の設置情報送信部１ａは、無線基地局１が設置されることを示す設置情報を、既設無線基地局３を介して無線ネットワーク制御装置２に送信する。【００１８】
無線ネットワーク制御装置２の接続情報送信部２ｂは、無線基地局１からの設置情報が設置情報受信部２ａによって受信されると、既設無線基地局３を介して無線ネットワーク制御装置２の接続情報を送信する。無線基地局１の接続情報受信部１ｂは、既設無線基地局３を介して、無線ネットワーク制御装置２の接続情報を受信する。【００１９】
無線基地局１は、無線ネットワーク制御装置２から送信された接続情報に基づき、自分を制御すべき無線ネットワーク制御装置２に接続することができる。そして、無線基地局１は、無線ネットワーク制御装置２との間で局間リンクを確立することができる。すなわち、無線基地局１は、自分を制御すべき無線ネットワーク制御装置２を自動で選択し、無線通信ネットワークに編入することができる。【００２０】
このように、無線基地局１は、既設無線基地局３を介して、設置情報を無線ネットワーク制御装置２に送信する。無線ネットワーク制御装置２は、設置情報を受信すると、既設無線基地局３を介して、接続情報を無線基地局１に送信する。これにより、無線基地局１は、受信した接続情報に基づき、自分を制御すべき無線ネットワーク制御装置２に、公衆ネットワーク４を介して自動で接続することがきる。【００２１】
次に、実施の形態を図面を参照して詳細に説明する。
図２は、フェムト無線基地局を適用した通信ネットワークの構成例を示した図である。図２に示すように、フェムト無線基地局１１は、公衆ネットワーク１３に接続されている。公衆ネットワーク１３は、例えば、インターネットなどのＩＰ（Internet Protocol）ネットワークである。【００２２】
フェムト無線基地局１１は、例えば、個人や企業によって自宅やオフィスに私的に設置される。フェムト無線基地局１１は、半径数十ｍの大きさのフェムトセル内に存在する無線端末１２ｂと無線通信を行うことができる。【００２３】
フェムト無線基地局１１は、無線端末１２ａと有線によって接続されている。フェムト無線基地局１１は、無線端末１２ａを介して、自分の無線通信をカバーする（自分の設置場所を通信範囲としている）無線基地局と無線通信することができる。例えば、無線端末１２ａは、無線基地局１８ｂのセルに属しているとする。この場合、フェムト無線基地局１１は、無線端末１２ａを介して無線基地局１８ｂと無線通信することができる。無線端末１２ａ，１２ｂは、例えば、携帯電話である。【００２４】
公衆ネットワーク１３には、サーバ１４が接続されている。また、公衆ネットワーク１３には、ゲートウェイ１５が接続されている。サーバ１４は、ユーザがフェムト無線基地局１１を設置する際、フェムト無線基地局１１の認証を行うサーバである。ゲートウェイ１５は、公衆ネットワーク１３とキャリアネットワーク１６とを接続し、公衆ネットワーク１３とキャリアネットワーク１６との間のデータのやり取りを可能にする。【００２５】
キャリアネットワーク１６は、例えば、無線通信事業者の提供するネットワークである。キャリアネットワーク１６には、ＲＮＣ（Radio Network Controller）１７ａが接続されている。【００２６】
ＲＮＣ１７ａ〜１７ｃには、それぞれ、無線基地局１８ａ〜１８ｆが接続されている。ＲＮＣ１７ａ〜１７ｃは、無線リソース管理や回線接続制御、ハンドオーバ制御など、無線基地局１８ａ〜１８ｆの制御を行っている。【００２７】
ＲＮＣ１７ａ〜１７ｃは、ＭＭＳ（Multimedia Messaging Service）１９に接続されている。ＭＭＳ１９は、文字、画像、音声、映像などのマルチメディアメッセージの蓄積・処理を行う。【００２８】
ＭＭＳ１９には、ＨＬＲ（Home Location Register）２０が接続されている。ＨＬＲ２０は、無線端末１２ｂの移動性を保証し、サービスを提供するための必要な情報を管理している。【００２９】
キャリアネットワーク１６、ＲＮＣ１７ａ〜１７ｃ、無線基地局１８ａ〜１８ｆ、ＭＭＳ１９、およびＨＬＲ２０は、無線通信ネットワークを構成している。無線通信ネットワークは、例えば、３Ｇの無線方式などが適用される。【００３０】
図２の通信ネットワークにおいて、ユーザがフェムト無線基地局１１を自宅などに設置するとする。この場合、ユーザは、フェムト無線基地局１１を公衆ネットワーク１３に接続し、フェムト無線基地局１１に無線端末１２ａを接続する。【００３１】
フェムト無線基地局１１は、公衆ネットワーク１３に接続されると、サーバ１４にアクセスする。サーバ１４は、フェムト無線基地局１１が設置してもよい装置であるか否かの認証処理を行い、認証結果をフェムト無線基地局１１に送信する。【００３２】
フェムト無線基地局１１は、サーバ１４から認証成功の認証結果を受信すると、無線端末１２ａを介して、無線基地局１８ｂと無線通信する。そして、フェムト無線基地局１１は、自分が設置されることを示す設置情報を、無線端末１２ａおよび無線基地局１８ｂを介し、無線基地局１８ｂを制御しているＲＮＣ１７ａに送信する。すなわち、フェムト無線基地局１１は、設置される自分を制御すべきＲＮＣ１７ａに対し、フェムト無線基地局の設置通知を行う。【００３３】
ＲＮＣ１７ａは、フェムト無線基地局１１から設置情報を受信すると、ＲＮＣ情報をフェムト無線基地局１１に送信する。ＲＮＣ情報には、フェムト無線基地局１１が公衆ネットワーク１３、ゲートウェイ１５、およびキャリアネットワーク１６を介してＲＮＣ１７ａに接続するための情報が含まれている。例えば、ＲＮＣ１７ａに一意に割り振られた識別情報などが含まれている。ゲートウェイ１５は、例えば、ＲＮＣ１７ａの識別子をもとにＲＮＣ１７ａのＩＰアドレスを検索し、フェムト無線基地局１１とＲＮＣ１７ａの通信を可能にする。または、ＲＮＣ１７ａのＩＰアドレスを直接、ＲＮＣ情報に含めるようにしてもよい。【００３４】
また、ＲＮＣ１７ａは、設置情報を受信すると、設置情報を経由した無線基地局１８ｂの位置に基づいて、新たに設置されたフェムト無線基地局１１の位置を特定する。ＲＮＣ１７ａは、特定したフェムト無線基地局１１の位置情報をフェムト無線基地局１１に送信する。【００３５】
フェムト無線基地局１１は、ＲＮＣ１７ａからＲＮＣ情報と位置情報を受信すると、受信したＲＮＣ情報に基づき、公衆ネットワーク１３、ゲートウェイ１５、およびキャリアネットワーク１６の有線経路を介してＲＮＣ１７ａに接続する。そして、フェムト無線基地局１１とＲＮＣ１７ａは、公衆ネットワーク１３、ゲートウェイ１５、およびキャリアネットワーク１６の有線経路を介して通信し、局間リンクを確立する。【００３６】
なお、フェムト無線基地局１１は、ゲートウェイ１５にアクセスするためのＩＰアドレスを予め固定して持っていてもよいし、または、サーバ１４から、認証成功の認証結果とともにゲートウェイ１５のＩＰアドレスを受信するようにしてもよい。【００３７】
このように、フェムト無線基地局１１は、ユーザによって新設される際、無線端末１２ａを介し、自分を制御すべきＲＮＣ１７ａに設置情報を送信する。ＲＮＣ１７ａは、フェムト無線基地局１１から設置情報を受信すると、ＲＮＣ情報をフェムト無線基地局１１に送信する。これにより、フェムト無線基地局１１は、ＲＮＣ１７ａからのＲＮＣ情報に基づいて、公衆ネットワーク１３、ゲートウェイ１５、およびキャリアネットワーク１６を介し、ＲＮＣ１７ａに接続することができる。【００３８】
また、サーバ１４によってフェムト無線基地局１１の認証を行うので、不適切なフェムト無線基地局のネットワーク編入を防止することができる。
図３は、フェムト無線基地局のブロック構成図である。図３に示すように、フェムト無線基地局１１は、無線通信部３１、有線通信部３２、対無線端末通信部３３、情報記憶部３４、および制御部３５を有している。【００３９】
無線通信部３１は、フェムトセル内に存在する無線端末１２ｂと無線通信を行う。無線通信方式としては、例えば、ＷＣＤＭＡ（Wideband Code Division Multiple Access）、ＧＳＭ（Global System for Mobile）、ＥＤＧＥ（Enhanced Data rate for GSM Evolution）、ＣＤＭＡ２００１ｘ、ＬＴＥ（Long Term Evolution）、ＷｉＭＡＸ（Worldwide Interoperability for Microwave Access）などがある。【００４０】
有線通信部３２は、ＩＳＰ（Internet Service Provider）などのキャリア設備にアクセスし、公衆ネットワーク１３を介してサーバ１４やＲＮＣ１７ａなどと通信を行う。有線通信部３２の通信インターフェースとしては、イーサネット（登録商標）がある。なお、有線通信部３２は、無線ＬＡＮ（Local Area Network）などにより、サーバ１４やＲＮＣ１７ａと通信をするようにしてもよい。【００４１】
対無線端末通信部３３は、フェムト無線基地局１１が設置される際に接続される無線端末１２ａと通信を行う。図２では、フェムト無線基地局１１は、有線によって無線端末１２ａと接続され、通信を行うとしたが、無線によって通信を行うこともできる。例えば、対無線端末通信部３３は、ＲＦＩＤ（Radio Frequency Identification）、Ｂｌｕｅｔｏｏｔｈ、赤外線通信（ＩｒＤＡ）、ＺｉｇＢｅｅ（ＩＥＥＥ８０２．１５．４）などによって、無線端末１２ａと無線通信を行うこともできる。【００４２】
情報記憶部３４は、ＲＮＣ１７ａ〜１７ｃから送られてくるＲＮＣ情報と位置情報とを記憶する。情報記憶部３４は、メモリを備えている。
制御部３５は、フェムト無線基地局１１が公衆ネットワーク１３に接続されると、有線通信部３２を介して、サーバ１４にアクセスする。制御部３５は、サーバ１４にアクセスすると、メモリなどに予め記憶されているフェムト無線基地局情報をサーバ１４に送信する。フェムト無線基地局情報には、フェムト無線基地局１１の識別子などの認証情報が含まれており、サーバ１４は、この認証情報に基づいて、フェムト無線基地局１１の認証処理を行う。【００４３】
制御部３５は、有線通信部３２を介して、サーバ１４から認証結果を受信する。制御部３５は、認証成功の認証結果を受信すると、対無線端末通信部３３を介して、無線端末１２ａと通信し、無線端末１２ａ（フェムト無線基地局１１）の無線通信をカバーする無線基地局１８ｂと通信するように無線端末１２ａを制御する。そして、制御部３５は、無線端末１２ａおよび無線基地局１８ｂを介して、無線基地局１８ａを制御しているＲＮＣ１７ａに、フェムト無線基地局１１の設置情報を送信する。【００４４】
制御部３５は、無線基地局１８ｂおよび無線端末１２ａを介して、フェムト無線基地局１１を制御することになるＲＮＣ１７ａからＲＮＣ情報と位置情報とを受信する。制御部３５は、ＲＮＣ１７ａからＲＮＣ情報と位置情報を受信すると、情報記憶部３４に記憶する。【００４５】
制御部３５は、ＲＮＣ情報と位置情報を情報記憶部３４に記憶すると、記憶したＲＮＣ情報に基づき、公衆ネットワーク１３、ゲートウェイ１５、およびキャリアネットワーク１６を介してＲＮＣ１７ａにアクセスし、局間リンクを確立する。【００４６】
図４は、無線端末のブロック構成図である。図４に示すように、無線端末１２ａは、対フェムト無線基地局通信部４１、無線通信部４２、および制御部４３を有している。
対フェムト無線基地局通信部４１は、有線または無線によってフェムト無線基地局１１と通信を行う。【００４７】
無線通信部４２は、無線基地局１８ａ〜１８ｆと無線通信を行う。通信方式としては、例えば、ＷＣＤＭＡ、ＧＳＭ、ＥＤＧＥ、ＣＤＭＡ２００１ｘ、ＬＴＥ、ＷｉＭＡＸなどがある。【００４８】
制御部４３は、フェムト無線基地局１１からの指示に応じて無線基地局１８ａ〜１８ｆと無線通信し、データの送受信を行う。
図５は、ＲＮＣのブロック構成図である。図５に示すように、ＲＮＣ１７ａは、対無線基地局通信部５１、有線通信部５２、情報記憶部５３、および制御部５４を有している。なお、ＲＮＣ１７ｂ，１７ｃも図５と同様のブロック構成を有しており、その説明を省略する。【００４９】
対無線基地局通信部５１は、無線基地局１８ａ，１８ｂとデータの送受信を行う。
有線通信部５２は、公衆ネットワーク１３およびキャリアネットワーク１６を介してデータの送受信を行う。【００５０】
情報記憶部５３は、ＲＮＣ情報を予め記憶している。また、情報記憶部５３には、フェムト無線基地局１１の位置情報が記憶される。情報記憶部５３は、メモリを備えている。
制御部５４は、対無線基地局通信部５１を介して、フェムト無線基地局１１から設置情報を受信すると、情報記憶部５３からＲＮＣ情報を読み出す。制御部５４は、ＲＮＣ情報を読み出すと、対無線基地局通信部５１を介して、フェムト無線基地局１１にＲＮＣ情報を送信する。【００５１】
また、制御部５４は、フェムト無線基地局１１から設置情報を受信すると、設置情報を経由した無線基地局１８ｂの位置から、新たに設置されるフェムト無線基地局１１の設置位置を認識する。ＲＮＣ１７ａには、予め無線基地局１８ａ，１８ｂの位置が登録されており、制御部５４は、これにより無線基地局１８ｂの位置を認識できる。そして、設置情報を経由した無線基地局１８ａ，１８ｂにより、フェムト無線基地局１１の位置を認識できる。制御部５４は、フェムト無線基地局１１の位置情報を情報記憶部５３に記憶し、対無線基地局通信部５１を介して、フェムト無線基地局１１に送信する。【００５２】
制御部５４は、公衆ネットワーク１３、ゲートウェイ１５、およびキャリアネットワーク１６を介して、フェムト無線基地局１１と局間データの送受信を行い、局間リンクを確立する。【００５３】
図６は、サーバのブロック構成図である。図６に示すように、サーバ１４は、有線通信部６１、情報記憶部６２、および制御部６３を有している。
有線通信部６１は、公衆ネットワーク１３を介してデータの送受信を行う。【００５４】
情報記憶部６２には、フェムト無線基地局１１を認証するための認証情報が予め記憶されている。例えば、フェムト無線基地局１１の識別子が予め記憶されている。情報記憶部６２は、メモリを備えている。【００５５】
制御部６３は、フェムト無線基地局１１からフェムト無線基地局情報を受信すると、情報記憶部６２に記憶されている認証情報と比較する。具体的には、制御部６３は、フェムト無線基地局情報に含まれる識別子と、認証情報に含まれる識別子とを比較する。制御部６３は、比較した認証結果を、有線通信部６１を介して、フェムト無線基地局１１に送信する。【００５６】
図７は、設置情報のデータ構成例を説明する図である。図７には、無線リソース接続の確立に用いられるRRC(Radio Resource Control) CONNECTION REQUESTのメッセージが示してある。フェムト無線基地局１１は、RRC CONNECTION REQUESTのメッセージのEstablishment causeに新たなコードを追加し、追加したコードによってフェムト無線基地局１１の設置情報を示す。【００５７】
図８は、Establishment causeのコードを示した図である。図８に示すように、Establishment causeには、複数のコードが含まれている。フェムト無線基地局１１は、図８の枠に示すF-BTS EstablishmentのコードをEstablishment causeに新たに追加し、フェムト無線基地局１１の設置情報を示す。【００５８】
ＲＮＣ１７ａは、RRC CONNECTION REQUESTのメッセージを受信すると、Establishment causeに含まれるF-BTS Establishmentのコードによって、新たにフェムト無線基地局１１が設置されることを認識できる。【００５９】
図９は、ＲＮＣ情報と位置情報のデータ構成例を説明する図である。図９には、RRC CONNECTION REJECTのメッセージが示してある。ＲＮＣ１７ａは、RRC CONNECTION REJECTのメッセージのRejection causeに新たなコードを追加し、追加したコードによってＲＮＣ情報と位置情報とを示す。【００６０】
図１０は、Rejection causeのコードを示した図である。図１０に示すように、Rejection causeには、複数のコードが含まれている。ＲＮＣ１７ａは、図１０の枠に示すF-BTS+RNC IDのコードをRejection causeに新たに追加し、ＲＮＣ情報と位置情報とを示す。【００６１】
フェムト無線基地局１１は、RRC CONNECTION REQUESTのメッセージに対する応答の一つであるRRC CONNECTION REJECTのメッセージを受信すると、Rejection causeに含まれるF-BTS+RNC IDのコードによって、自分の位置および接続すべきＲＮＣ１７ａを認識することができる。【００６２】
図１１は、通信ネットワークのシーケンス図である。図１１には、図２で示したフェムト無線基地局１１、無線端末１２ａ、サーバ１４、ＲＮＣ１７ａ、および無線基地局１８ｂのシーケンスが示してある。【００６３】
ステップＳ１において、ユーザは、フェムト無線基地局１１を公衆ネットワーク１３に接続したとする。また、フェムト無線基地局１１に無線端末１２ａを接続したとする。フェムト無線基地局１１の制御部３５は、有線通信部３２および公衆ネットワーク１３を介してサーバ１４にアクセスし、認証要求を行う。このとき、制御部３５は、フェムト無線基地局情報をサーバ１４に送信する。【００６４】
ステップＳ２において、サーバ１４の制御部６３は、有線通信部６１を介して、フェムト無線基地局１１からフェムト無線基地局情報を受信する。制御部６３は、フェムト無線基地局情報を受信すると、情報記憶部６２に記憶されている認証情報と比較する。制御部６３は、フェムト無線基地局情報と認証情報との比較結果を、有線通信部６１を介してフェムト無線基地局１１に送信する。【００６５】
ステップＳ３において、フェムト無線基地局１１の制御部３５は、有線通信部３２を介して、サーバ１４から認証結果を受信する。制御部３５は、認証成功の認証結果を受信した場合、ステップＳ４へ進む。認証失敗の認証結果を受信した場合、ステップＳ１へ進む。【００６６】
ステップＳ４において、フェムト無線基地局１１の制御部３５は、対無線端末通信部３３を介して、無線端末１２ａにRRC CONNECTION REQUESTを送信する。RRC CONNECTION REQUESTには、図７、図８で説明したように、フェムト無線基地局１１を新たに設置することを示すF-BTS Establishmentのコードが含まれている。【００６７】
ステップＳ５において、無線端末１２ａの制御部４３は、対フェムト無線基地局通信部４１を介して、フェムト無線基地局１１からRRC CONNECTION REQUESTを受信する。制御部４３は、RRC CONNECTION REQUESTを受信すると、無線通信部４２を介して、無線基地局１８ｂに無線送信する。【００６８】
ステップＳ６において、無線基地局１８ｂは、RRC CONNECTION REQUESTを受信する。無線基地局１８ｂは、受信したRRC CONNECTION REQUESTを、自分を制御しているＲＮＣ１７ａに送信する。【００６９】
ステップＳ７において、ＲＮＣ１７ａの制御部５４は、対無線基地局通信部５１を介して、無線基地局１８ｂからRRC CONNECTION REQUESTを受信する。制御部５４は、RRC CONNECTION REQUESTを受信すると、情報記憶部５３からＲＮＣ情報を読み出す。また、制御部５４は、RRC CONNECTION REQUESTを経由した無線基地局１８ｂの位置から、新たに設置されるフェムト無線基地局１１の設置位置を認識する。【００７０】
ステップＳ８において、制御部５４は、RRC CONNECTION REJECTを生成し、対無線基地局通信部５１を介して、無線基地局１８ｂに送信する。RRC CONNECTION REJECTには、図９、図１０で説明したように、F-BTS+RNC IDのコードが含まれており、ステップＳ７で取得したＲＮＣ情報と位置情報とが含まれている。【００７１】
ステップＳ９において、無線基地局１８ｂは、ＲＮＣ１７ａからRRC CONNECTION REJECTを受信する。無線基地局１８ｂは、受信したRRC CONNECTION REJECTを無線端末１２ａに送信する。【００７２】
ステップＳ１０において、無線端末１２ａの制御部４３は、無線通信部４２を介して、無線基地局１８ｂからRRC CONNECTION REJECTを受信する。制御部４３は、受信したRRC CONNECTION REJECTを、対フェムト無線基地局通信部４１を介して、フェムト無線基地局１１へ送信する。【００７３】
ステップＳ１１において、フェムト無線基地局１１の制御部３５は、対無線端末通信部３３を介して、無線端末１２ａからRRC CONNECTION REJECTを受信する。制御部３５は、受信したRRC CONNECTION REJECTに含まれるＲＮＣ１７ａのＲＮＣ情報と位置情報とを情報記憶部３４に記憶する。【００７４】
ステップＳ１２ａ，１２ｂにおいて、フェムト無線基地局１１の制御部３５は、情報記憶部３４に記憶したＲＮＣ情報に基づいて、有線通信部３２を介し、ＲＮＣ１７ａにアクセスする。フェムト無線基地局１１の制御部３５とＲＮＣ１７ａの制御部５４は、公衆ネットワーク１３、ゲートウェイ１５、およびキャリアネットワーク１６を介して局間データのやり取りを行い、局間リンクを確立する。【００７５】
ステップＳ１３において、フェムト無線基地局１１およびＲＮＣ１７ａは、通常サービスを行う。例えば、フェムト無線基地局１１の無線通信部３１は、無線端末１２ｂと無線通信すると、公衆ネットワーク１３、ゲートウェイ１５、およびキャリアネットワーク１６を介して、ＲＮＣ１７ａとデータの送受信を行う。【００７６】
このように、フェムト無線基地局１１は、ユーザによって新設される際、無線端末１２ａを介して、自分を制御すべきＲＮＣ１７ａに設置情報を含むRRC CONNECTION REQUESTを送信する。ＲＮＣ１７ａは、フェムト無線基地局１１からRRC CONNECTION REQUESTを受信すると、ＲＮＣ情報と位置情報とを含むRRC CONNECTION REJECTをフェムト無線基地局１１に送信する。【００７７】
これにより、フェムト無線基地局１１は、RRC CONNECTION REJECTに含まれるＲＮＣ情報に基づき、公衆ネットワーク１３、ゲートウェイ１５、およびキャリアネットワーク１６を介してＲＮＣ１７ａに接続することができる。そして、フェムト無線基地局１１とＲＮＣ１７ａは、局間データのやり取りを行い、局間リンクを確立することができる。【００７８】
また、フェムト無線基地局１１は、局間リンクを確立すべきＲＮＣ１７ａを自動で選択し、接続するので、フェムト無線基地局１１を設置するユーザは、特別な知識や手順などが不要となる。【００７９】
また、サーバ１４によってフェムト無線基地局１１の認証を行うので、不適切なフェムト無線基地局の網編入を防止することができる。
なお、上記では、フェムト無線基地局１１は、無線端末１２ａを介して無線基地局１８ｂと無線通信を行うとしたが、フェムト無線基地局１１が直接、無線基地局１８ｂと無線通信を行ってもよい。この場合、フェムト無線基地局１１は、図４に示したブロックを有することになる。【００８０】
また、設置情報、ＲＮＣ情報、および位置情報は、RRC CONNECTION REQUESTおよびRRC CONNECTION REJECTによって送受信するとしたが、これらのメッセージとは別の新たなメッセージを規定して設置情報、ＲＮＣ情報、および位置情報を送受信するようにしてもよい。【００８１】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００８２】
１  無線基地局
１ａ  設置情報送信部
１ｂ  接続情報受信部
２  無線ネットワーク制御装置
２ａ  設置情報受信部
２ｂ  接続情報送信部
３  既設無線基地局
４  公衆ネットワーク
【図１】
2010041323.tif 000003
【図２】
2010041323.tif 000004
【図３】
2010041323.tif 000005
【図４】
2010041323.tif 000006
【図５】
2010041323.tif 000007
【図６】
2010041323.tif 000008
【図７】
2010041323.tif 000009
【図８】
2010041323.tif 000010
【図９】
2010041323.tif 000011
【図１０】
2010041323.tif 000012
【図１１】
2010041323.tif 000013
【手続補正書】
【提出日】平成23年1月20日(2011.1.20)
【手続補正１】
【補正対象書類名】特許請求の範囲
【補正対象項目名】全文
【補正方法】変更
【補正の内容】
【特許請求の範囲】
【請求項１】
無線通信ネットワークに公衆ネットワークを介して収容される無線基地局において、
当該無線基地局が設置されることを示す設置情報を既設無線基地局との無線通信を介して前記既設無線基地局を制御する無線ネットワーク制御装置に送信する設置情報送信部と、
前記既設無線基地局との無線通信を介して前記無線ネットワーク制御装置から前記公衆ネットワークを介して前記無線ネットワーク制御装置に接続するための接続情報を受信する接続情報受信部と、
を有することを特徴とする無線基地局。
【請求項２】
無線端末と通信を行う無線端末通信部をさらに有し、
前記設置情報送信部と前記接続情報受信部は、前記無線端末を介して前記既設無線基地局と無線通信を行うことを特徴とする請求項１記載の無線基地局。
【請求項３】
前記接続情報受信部によって受信された前記接続情報に基づいて前記無線ネットワーク制御装置に接続し、前記公衆ネットワークを介した局間リンクを確立する局間リンク確立部を有することを特徴とする請求項１記載の無線基地局。
【請求項４】
前記設置情報送信部は、前記設置情報を無線リソース接続確立の要求情報に含めて送信することを特徴とする請求項１記載の無線基地局。
【請求項５】
前記接続情報は、無線リソース接続確立の要求情報に対する応答情報に含まれていることを特徴する請求項１記載の無線基地局。
【請求項６】
前記公衆ネットワークに接続されているサーバに認証情報を送信する認証情報送信部と、
前記サーバから認証結果を受信する認証結果受信部と、
を有することを特徴とする請求項１記載の無線基地局。
【請求項７】
無線基地局を制御する無線ネットワーク制御装置において、
無線通信ネットワークに公衆ネットワークを介して収容される前記無線基地局から無線通信によって既設無線基地局に送信された前記無線基地局の設置されたことを示す設置情報を前記既設無線基地局から受信する設置情報受信部と、
当該無線ネットワーク制御装置に前記公衆ネットワークを介して接続するための接続情報を前記設置情報の受信に応じて前記既設無線基地局を介して前記無線基地局に送信する接続情報送信部と、
を有することを特徴とする無線ネットワーク制御装置。
【請求項８】
前記接続情報送信部は、前記接続情報を無線リソース接続確立の要求情報に対する応答情報に含めて送信することを特徴とする請求項７記載の無線ネットワーク制御装置。
【請求項９】
前記設置情報は、無線リソース接続確立の要求情報に含まれていることを特徴とする請求項７記載の無線ネットワーク制御装置。
【請求項１０】
前記設置情報を送信してきた前記既存無線基地局の位置に基づいて前記無線基地局の設置位置を認識する設置位置認識部を有することを特徴とする請求項７記載の無線ネットワーク制御装置。
【請求項１１】
無線通信ネットワークに公衆ネットワークを介して収容される無線基地局のネットワーク自動編入方法において、
前記無線基地局が設置されることを示す設置情報を既設無線基地局との無線通信を介して前記既設無線基地局を制御する無線ネットワーク制御装置に送信し、
前記既設無線基地局との無線通信を介して前記無線ネットワーク制御装置から前記公衆ネットワークを介して前記無線ネットワーク制御装置に接続するための接続情報を受信する、
ことを特徴とするネットワーク自動編入方法。
【請求項１２】
無線通信ネットワークに公衆ネットワークを介して収容される無線基地局をネットワークに編入する無線ネットワーク制御装置のネットワーク自動編入方法において、
前記無線基地局から無線通信によって既設無線基地局に送信された前記無線基地局の設置されたことを示す設置情報を前記既設無線基地局から受信し、
前記無線ネットワーク制御装置に前記公衆ネットワークを介して接続するための接続情報を前記設置情報の受信に応じて前記既設無線基地局を介して前記無線基地局に送信する、
ことを特徴とするネットワーク自動編入方法。
【請求項１３】
無線通信ネットワークに公衆ネットワークを介して収容される無線基地局において、
当該無線基地局が設置されることを示す設置情報を前記公衆ネットワークと既設無線基地局を前記既設無線基地局を収容するキャリアネットワークを介して接続するゲートウェイに送信する設置情報送信部と、
前記既設無線基地局との無線通信を介して無線ネットワーク制御装置から前記公衆ネットワークを介して前記無線ネットワーク制御装置に接続するための接続情報を受信する接続情報受信部と、
を有することを特徴とする無線基地局。
【国際調査報告】
2010041323.tif 000014
2010041323.tif 000015